(57)【要約】【課題】大型化することなく組み付け性を向上させることができる空気吹き出し装置を提供する。【解決手段】車両用の空調装置から送出される空気を車室内に吹き出す空気吹き出し装置３であって、上流側の端部１１Ａの開口２０が網状に形成された筒状のケース１１と、ケース１１の下流側の端部１１Ｂに嵌合するハウジング１２とを備え、ハウジング１２にフィン１３，１５が取り付けられ、ケース１１の網状の開口２０の中央部に設けられた支持座２１から係合爪２４が下流側のケース１１内に突出し、係合爪２４が、ハウジング１２に設けられた係合孔３２Ｈに挿入係合している。【選択図】図３
2014046896.tif 000002
【特許請求の範囲】
【請求項１】
車両用の空調装置から送出される空気を車室内に吹き出す空気吹き出し装置であって、
上流側の端部の開口が網状に形成された筒状のケースと、
前記ケースの下流側の端部に嵌合するハウジングとを備え、
前記ハウジングにフィンが取り付けられ、
前記ケースの網状の開口の中央部に設けられた支持座から係合爪が下流側のケース内に突出し、
前記係合爪が、前記ハウジングに設けられた係合孔に挿入係合している空気吹き出し装置。
【請求項２】
前記係合爪は、前記ケースの径方向に分割された一対の分割爪から成り、
前記一対の分割爪の爪部は、それぞれの爪基部の先端部から互いに反対側に突出している請求項１記載空気吹き出し装置。
【請求項３】
前記係合爪の長手方向から見て前記爪部の全体と重なる貫通孔が前記支持座に形成されている請求項２記載の空気吹き出し装置。
【請求項４】
前記ケースの上流側の端部の開口は、網目が正六角形のハニカム形の網状に形成されて、各網目の６個の角部に隣りの網目の網目形成部材が接続し、
中央の網目の６個の角部に各別に接続した６個の網目形成部材のうち、前記中央の網目の中心の周りに一つ置きに位置する３個の網目形成部材が前記中央の網目内に突出し、
前記中央の網目内に配置された前記支持座の外周部に、前記中央の網目内に突出した前記３個の網目形成部材が接続している請求項１〜３のいずれか一つに記載の空気吹き出し装置。
【発明の詳細な説明】
【技術分野】
【０００１】
本発明は、
車両用の空調装置から送出される空気を車室内に吹き出す空気吹き出し装置に関する。
【背景技術】
【０００２】
一般に、上記の空気吹き出し装置は、筒状のケースと、前記ケースの下流側の端部に嵌合するハウジングとを備え、前記ハウジングにフィンが取り付けられている。そして、空気吹き出し装置内に異物が侵入しないように、ケースの上流側の端部の開口が網状に形成されている。この空気吹き出し装置はインストルメントパネルに形成された取り付け孔に挿入固定される。
従来、上記の空気吹き出し装置では、特許文献１に開示されているように、ケースの網状の開口の中央部からピンが下流側のケース内に突出し、ハウジングの上流側の端部に架設された支軸部の凹部に前記ピンが差し込まれていた。これにより、ケースの中心とハウジングの中心の位置を決めている。
また、前記ピンの径を全長にわたって大きくすることでピンの強度を確保しようとすると、空気流通路である網状の開口の面積が減少してしまうことから、ピンの根元を上流側に向かって拡径するとともに、網目の外側（上流側）に突出させてピンの強度を確保していた。
【先行技術文献】
【特許文献】
【０００３】
【特許文献１】特開２００４−２４９９３６号公報
【発明の概要】
【発明が解決しようとする課題】
【０００４】
上記従来の構造によれば、ケース側のピンがハウジング側の凹部に差し込まれているだけであったために、空気吹き出し装置をインストルメントパネルに取り付けるまでは、ケースとハウジングがバラバラの状態にあり、組み付け性が低下していた。
また、ピンの上流側の端部を拡径するとともに、網目の外側（上流側）に突出させてピンの強度を確保していたために、空気吹き出し装置をインストルメントパネルに組み付ける際に、空気吹き出し装置を台などに載置した場合、網目から上流側に突出したピンの上流側の端部が邪魔になって、空気吹き出し装置の姿勢が安定しなかった。そして、空気吹き出し装置が回転してしまい、空気吹き出し装置を手に取る場合に空気吹き出し装置が逃げて、組み付け性がさらに低下していた。
前記ピンの上流側の端部が網目の外側（上流側）に突出しないように、網目をケース内に凹ませる方法もある（特開２００８−２４２４１参照）。しかしながら、この方法では、フィンに干渉し無いように網目を凹ませなければならない為、スペースに余裕のない空気吹き出し装置では網目を充分凹ませることができなかった。従って、網目を充分凹ませるには、前記スペースを大きくしなければならず、空気吹き出し装置が大型化するという問題があった。
また、ケースの外周部を網目よりも上流側に突出させて、ピンの上流側の端部がケースの上流側の端面から突出しないようにする方法もあるが、この方法でも空気吹き出し装置が大型化する。そのために、内部のスペースに余裕があるインストルメントパネルにしか空調装置を組み付けることができなかった。
本発明の目的は、大型化することなく組み付け性を向上させることができる空気吹き出し装置を提供する点にある。
【課題を解決するための手段】
【０００５】
本発明の特徴は、
車両用の空調装置から送出される空気を車室内に吹き出す空気吹き出し装置であって、
上流側の端部の開口が網状に形成された筒状のケースと、
前記ケースの下流側の端部に嵌合するハウジングとを備え、
前記ハウジングにフィンが取り付けられ、
前記ケースの網状の開口の中央部に設けられた支持座から係合爪が下流側のケース内に突出し、
前記係合爪が、前記ハウジングに設けられた係合孔に挿入係合している点にある。（請求項１）
【０００６】
この構成によれば、空気吹き出し装置をインストルメントパネルに組み付ける前に、ケースに設けられた係合爪をハウジングに設けられた係合孔に挿入係合することで、ケースとハウジングがバラバラの状態になることを回避することができ、組み付け性を向上させることができる。
また、前記ケースの網状の開口の中央部に設けられた支持座から係合爪が下流側のケース内に突出しているから、インストルメントパネルへの空気吹き出し装置の組み付け工程で空気吹き出し装置を台に載置する場合、係合爪が邪魔になることがなく、空気吹き出し装置を台に安定して載置することができる。これにより、さらに組み付け性を向上させることができる。
そして、本発明の構成では、空気吹き出し装置を台に安定して載置できるようにする手段として、従来の技術のように、空気吹き出し装置のスペースを大きくしたり、空気吹き出し装置のケースの外周部を網目よりも上流側に突出させたりする必要がなく、空気吹き出し装置の大型化を回避することができる。（請求項１）
【０００７】
本発明において、
前記係合爪は、前記ケースの径方向に分割された一対の分割爪から成り、
前記一対の分割爪の爪部は、それぞれの爪基部の先端部から互いに反対側に突出していると、次の作用を奏することができる。（請求項２）
【０００８】
前記一対の分割爪の爪部がハウジングの係合孔に挿入係合するから、係合爪に加わる力を一対の分割爪に分散させることができ、単一の爪基部と単一の爪部から成る係合爪が前記係合孔に挿入係合した構造に比べると、係合爪の耐久性を向上させることができる。
また、前記一対の分割爪の爪部は、それぞれの爪基部の先端部から互いに反対側に突出しているから、一対の爪部から前記係合孔に係合力を均等に加えることができ、一対の爪部と係合孔の係合状態を安定させることができる。（請求項２）
【０００９】
本発明において、
前記係合爪の長手方向から見て前記爪部の全体と重なる貫通孔が前記支持座に形成されていると、次の作用を奏することができる。（請求項３）
【００１０】
前記爪部を成形型で成形して型抜きする際に、爪部の根元側に成形型を抜くことができる。これにより、スライド型等の複雑な型を用いることなく、例えば、上型と下型の組み合わせによる簡易な型構造で係合爪を成形することができて、成形コストを低減することができる。
また、前記貫通孔が空気流通路となり、ケースの上流側の端部の開口面積（網状の開口の面積）を増やすことができる。（請求項３）
【００１１】
本発明において、
前記ケースの上流側の端部の開口は、網目が正六角形のハニカム形の網状に形成されて、各網目の６個の角部に隣りの網目の網目形成部材が接続し、
中央の網目の６個の角部に各別に接続した６個の網目形成部材のうち、前記中央の網目の中心の周りに一つ置きに位置する３個の網目形成部材が前記中央の網目内に突出し、
前記中央の網目内に配置された前記支持座の外周部に、前記中央の網目内に突出した前記３個の網目形成部材が接続していると、次の作用を奏することができる。（請求項４）
【００１２】
ケースの上流側の端部の開口は、網目が正六角形のハニカム形の網状に形成されているから網状の開口の強度を向上させることができる。
また、前記中央の網目内に配置された前記支持座の外周部に、前記中央の網目内に突出した３個の網目形成部材が接続しているから、支持座に接続する網目形成部材の数が少ない構造でありながら、支持座を網目形成部材で安定して支持することができる。
さらに、支持座の外周部と、中央の網目を形成する網目形成部材との間に空気流通路を形成することができる。そして、支持座の外周部に接続する３個の網目形成部材は前記空気流通路に位置するが、上記のように網目形成部材の数を少なくしてあるから、前記空気流通路をできるだけ大きくすることができる。これにより、ケースの上流側の端部の開口面積（網状の開口の面積）を増やすことができる。（請求項４）
【発明の効果】
【００１３】
本発明によれば、大型化することなく組み付け性を向上させることができる空気吹き出し装置を提供することができた。
【図面の簡単な説明】
【００１４】
【図１】空気吹き出し装置のインストルメントパネルへの取り付け構造の分解斜視図
【図２】空気吹き出し装置の分解斜視図
【図３】空気吹き出し装置の縦断側面図
【図４】係合爪と係合孔の係合構造の斜視図
【発明を実施するための形態】
【００１５】
以下、本発明を実施するための形態を図面に基づいて説明する。
図１に示すように、車両用の空調装置（ＨＶＡＣと称されている。図示せず）に上流側の端部が連通接続された円筒状の送風ダクト２がインストルメントパネル１側に延びている。そして、インストルメントパネル１の車幅方向の端部に形成された嵌合孔１Ｈに空気吹き出し装置３が車室内側から挿入嵌合し、送風ダクト２の下流側の端部２Ａが空気吹き出し装置３の上流側の端部に連通接続している。この構造により、空調装置で温度調整された空気が送風ダクト２を介して空気吹き出し装置３に送出され、空気吹き出し装置３から車室内に吹き出される。
【００１６】
［空気吹き出し装置３のケース１１の構造］
図２，図３に示すように、空気吹き出し装置３は円筒状のケース１１を備え、ケース１１の上流側の端部１１Ａの開口２０は、ケース１１内に異物が侵入しないように網状に形成されている。ケース１１の上流側の端部１１Ａは縮径し、この縮径した上流側の端部１１Ａに円形リング状のパッキン１７が外嵌している。また、ケース１１の下流側の端部１１Ｂは拡径し、この拡径した下流側の端部１１Ｂに、ハウジング１２のリング状の本体部（以下、「ハウジング本体３０」と称する）が回転自在に内嵌している。
【００１７】
このように、前記空気吹き出し装置３は、上流側の端部１１Ａの開口２０が網状に形成された円筒状のケース１１と、ケース１１の下流側の端部１１Ｂに嵌合（内嵌）するハウジング１２とを備えている。ケース１１とハウジング１２の連結構造については後で詳しく説明する。
【００１８】
［ハウジング１２の構造］
ハウジング１２は、前記ハウジング本体３０と、ハウジング本体３０の中心に対して点対称に位置する一対のハウジング本体部分に架け渡された連結部材３１とを備えている。連結部材３１は、前記一対のハウジング本体部分から上流側に突出する一対の脚部３１Ａと、脚部３１Ａの上流側の端部同士を連結する連結部３１Ｂとから成る。そして、連結部３１Ｂの長手方向中央部に、ハウジング本体３０と同芯状のリング部３２が設けられ、リング部３２の孔が係合孔３２Ｈに構成されている。
【００１９】
図３に示すように、ハウジング本体３０の上流側の端面３０Ｔは凹凸状の波形に形成され、前記ケース１１の下流側の拡径した端部１１Ｂと、この端部１１Ｂよりも小径のケース中間部１１Ｃとの間の段差部の内面１１Ｎに当接している。前記内面１１Ｎには、スプリング収容穴１１Ｈが開口し、スプリング収容穴１１Ｈにコイルスプリング４１とボール４２がこの順に収容されている。
【００２０】
ハウジング本体３０には、空気流通路の断面積及び空気の吹き出し方向を変更調節可能な板状の第１フィン１３と第２フィン１５が取り付けられている。第１フィン１３と第２フィン１５はハウジング本体３０の内周面に沿う円弧状の外周縁１３Ｇ１，１５Ｇ１を備え、第１フィン１３と第２フィン１５がそれぞれハウジング本体３０の空気流通路の断面積のほぼ１／２の大きさに設定されている。第２フィン１５側の第１フィン１３の外周縁１３Ｇ２は凸の円弧状に形成され、第１フィン１３側の第２フィン１５の外周縁１５Ｇ２は凹の円弧状に形成されて前記第１フィン１３の外周縁１３Ｇ２に沿っている。第１フィン１３と第２フィン１５の裏面には補強リブ１８，１９が形成されている。
【００２１】
また、第１フィン１３の幅方向両端部に、幅方向外方側に突出する第１連結ピン４６が設けられ、第２フィン１５の幅方向両端部に、幅方向外方側に突出する第２連結ピン４５が設けられている。一方、ハウジング本体３０の前記一対のハウジング本体部分付近にピン連結部３３が設けられている。そして、第１フィン１３の一対の第１連結ピン４６が、ハウジング本体３０のピン連結部３３の一対の第１連結孔に回転自在に各別に挿入され、第２フィン１５の一対の第２連結ピン４５が、ハウジング本体３０のピン連結部３３の一対の第２連結孔に回転自在に各別に挿入されている。第１フィン１３と第２フィン１５はコネクタ４０を介して連動連結されている。
【００２２】
［ガーニッシュ１４の構造］
前記ケース１１の下流側の端部１１Ｂにガーニッシュ１４が取り付けられている。ガーニッシュ１４は、リング状の円板１４Ａと、円板１４Ａの内周部に接続し、下流側ほど小径の第１テーパ筒部１４Ｂと、第１テーパ筒部１４Ｂの下流側の端部に接続し、下流側ほど大径の第２テーパ筒部１４Ｃとから成る。
【００２３】
また、円板１４Ａの外周部から上流側に複数の係合片１６が突出している。係合片１６には係合孔１６Ｈが形成されている。この係合孔１６Ｈに、ケース１１の下流側の端部１１Ｂの外周面に突設された係合突起２３が係合している。前記円板１４Ａはハウジング本体３０の下流側の端部１１Ｂの端面に当接している。また、ハウジング本体３０の上流側の端面３０Ｔは、上記のように前記段差部の内面１１Ｎに当接するとともに、コイルスプリング４１の付勢力に抗してボール４２に圧接している。
【００２４】
［第１フィン１３と第２フィン１５の操作方法］
第１フィン１３と第２フィン１５が空気吹き出し装置３の空気流通路を閉じた状態で、乗員が第１フィン１３と第２フィン１５の一方を指で押すと、第１フィン１３が第１連結ピン４６の軸芯周りに回転するとともに、第２フィン１５が第２連結ピン４５の軸芯周りに回転して傾斜し、前記空気流通路が開口する。そして、空気流通路の断面積の大きさが、第１フィン１３と第２フィン１５の回転角度に対応した大きさになる。
【００２５】
また、乗員が第１フィン１３又は第２フィン１５を指で掴んでケース１１の軸芯周りに回転させると、ケース１１に対してハウジング１２が第１フィン１３及び第２フィン１５と一体に回転する。これにより、空気の吹き出し方向を変更させることができる。この場合、乗員はコイルスプリング４１の付勢力に抗して第１フィン１３又は第２フィン１５を回転操作することになる。この操作に伴って、ボール４２がハウジング本体３０の凹凸状の端面３０Ｔの凸部を乗り越える。これにより、操作者に節度感を感じさせることができる。
【００２６】
［ケース１１とハウジング１２の連結構造］
図２，図４に示すように、前記ケース１１の上流側の端部１１Ａの開口２０は、網目５８が正六角形のハニカム形の網状に形成されている。そして、各網目５８の６個の角部に隣りの網目５８の網目形成部材５９が接続している。また、中央の網目５８の６個の角部に各別に接続した６個の網目形成部材５９のうち、中央の網目５８の中心の周りに一つ置きに位置する３個の網目形成部材５９が前記中央の網目５８内に突出している。さらに、中央の網目５８内に配置された円板状の支持座２１の外周部に、中央の網目５８内に突出した前記３個の網目形成部材５９が接続している。
【００２７】
［係合爪２４の構造］
また、前記支持座２１の中央部から係合爪２４が下流側のケース１１内に突出し、前記係合爪２４が、ハウジング１２の連結部３１Ｂに設けられたリング部３２の係合孔３２Ｈに挿入係合している。係合爪２４は、ケース１１の径方向に分割された一対の分割爪２７から成り、一対の分割爪２７の爪部２９は、それぞれの爪基部２８の先端部から互いに反対側（係合爪２４の長手方向と直交する方向（ケース１１の径方向）において互いに反対側）に突出している。
【００２８】
［分割爪２７の構造］
分割爪２７の分割面２７Ｂはケース１１の軸芯方向に沿う扁平面（ケース１１の径方向を向く扁平面）に形成され、一対の分割爪２７の分割面２７Ｂ同士が互いに平行に位置して対向している。前記分割面２７Ｂとは反対側の分割爪２７の外面２７Ｃは、支持座２１から遠ざかるにつれて係合爪２４の軸芯側に位置するように傾斜した断面円弧状の突曲面に形成されている。分割爪２７の両側面２７Ｄは前記分割面２７Ｂ対して直角な扁平面に形成されている。
【００２９】
係合爪２４の軸芯はケース１１の軸芯と一致し、前記一対の分割爪２７は中央の網目５８の中心（支持座２１の中心）に対して点対称に形成されている。一対の分割爪２７の爪基部２８の付け根同士は互いに連なっている（図３参照）。上記のように、乗員が第１フィン１３又は第２フィン１５を指で掴んでケース１１の軸芯周りに回転させると、ハウジング１２の連結部３１Ｂのリング部３２が、一対の分割爪２７に対してケース１１の軸芯周りに回転する。
【００３０】
［空気吹き出し装置３の組み付け手順］
空気吹き出し装置３の組み付け手順は次の通りである。
（１）  第１フィン１３の一対の第１連結ピン４６を、ハウジング本体３０のピン連結部３３の一対の第１連結孔に回転自在に各別に挿入させ、第２フィン１５の一対の第２連結ピン４５を、ハウジング本体３０のピン連結部３３の一対の第２連結孔に回転自在に各別に挿入させる。そして、第１フィン１３と第２フィン１５をコネクタ４０を介して連動連結する。
（２）  ケース１１の上流側の端部１１Ａにパッキン１７を外嵌し、ケース１１の下流側の端部１１Ｂにハウジング１２を嵌合（内嵌）する。そして、係合爪２４（一対の分割爪２７）を、ハウジング１２の連結部３１Ｂに設けられたリング部３２の係合孔３２Ｈに挿入係合する。
（３）  ガーニッシュ１４の複数の係合片１６の係合孔１６Ｈに、ハウジング本体３０の外周面に突設された係合突起２３を係合させる。
【００３１】
前記支持座２１には、係合爪２４の長手方向（支持座２１からの係合爪２４の突出方向）から見て爪部２９の全体と重なる貫通孔２１Ｈが形成されている。
【００３２】
上記の構成により、
（１）  空気吹き出し装置３をインストルメントパネル１に組み付ける前に、ケース１１に設けられた係合爪２４をハウジング１２に設けられた係合孔３２Ｈに挿入係合することで、ケース１１とハウジング１２がバラバラの状態になることを回避することができ、組み付け性を向上させることができる。
また、前記ケース１１の網状の開口２０の中央部に設けられた支持座２１から係合爪２４が下流側のケース１１内に突出しているから、インストルメントパネル１への空気吹き出し装置３の組み付け工程で空気吹き出し装置３を台に載置する場合、係合爪２４が邪魔になることがなく、空気吹き出し装置３を台に安定して載置することができる。これにより、さらに組み付け性を向上させることができる。
そして、本発明の上記構成では、空気吹き出し装置３を台に安定して載置できるようにする手段として、従来の技術のように、空気吹き出し装置３のスペースを大きくしたり、空気吹き出し装置３のケース１１の外周部を網目５８よりも上流側に突出させたりする必要がなくて、空気吹き出し装置３の大型化を回避することができる。
また、係合爪２４がケース１１の外方側に突出しないようにする手段として、各網目５８をケース１１内に凹ませる手段を採用しなくても済み、各網目５８を平坦にすることができる。
これにより、インストルメントパネル１への組み付け時に空気吹き出し装置３を台の上に各網目５８を下にして置いても空気吹き出し装置３が傾くことが無い。従って、空気吹き出し装置３を台の上に安定した姿勢で置いておくことができる。
そして、例えば、ガーニッシュ１４をインストルメントパネル１に一体成形し、インストルメントパネル１の内部側（裏面）側からインストルメントパネル１に空気吹き出し装置３を組み付ける構造であっても、ケース１１とハウジング１２がバラバラの状態になることを回避することができ、組み付け性を向上させることができる。
【００３３】
（２）  前記一対の分割爪２７の爪部２９がハウジング１２の係合孔３２Ｈに挿入係合するから、係合爪２４に加わる力を一対の分割爪２７に分散させることができ、単一の爪基部と単一の爪部から成る係合爪が前記係合孔３２Ｈに挿入係合した構造に比べると、係合爪２４の耐久性を向上させることができる。
また、前記一対の分割爪２７の爪部２９は、それぞれの爪基部２８の先端部から互いに反対側に突出しているから、一対の爪部２９から前記係合孔３２Ｈに係合力を均等に加えることができ、一対の爪部２９と係合孔３２Ｈの係合状態を安定させることができる。
【００３４】
（３）  前記係合爪２４の長手方向から見て前記爪部２９の全体と重なる貫通孔２１Ｈが前記支持座２１に形成されているから、前記爪部２９を成形型で成形して型抜きする際に、爪部２９の根元側に成形型を抜くことができる。これにより、スライド型等の複雑な型を用いることなく、上型と下型の組み合わせによる簡易な型構造で係合爪２４を成形することができて、成形コストを低減することができる。
また、前記貫通孔２１Ｈが空気流通路となり、ケース１１の上流側の端部１１Ａの開口面積（網状の開口２０の面積）を増やすことができる。
【００３５】
（４）  ケース１１の上流側の端部１１Ａの開口２０は、網目５８が正六角形のハニカム形の網状に形成されているから網状の開口２０の強度を向上させることができる。
また、前記中央の網目５８内に配置された支持座２１の外周部に、前記中央の網目５８内に突出した３個の網目形成部材５９が接続しているから、支持座２１に接続する網目形成部材５９の数が少ない構造でありながら、支持座２１を網目形成部材５９で安定して支持することができる。
さらに、支持座２１の外周部と、中央の網目５８を形成する網目形成部材５９との間に空気流通路を形成することができる。そして、支持座２１の外周部に接続する３個の網目形成部材５９は前記空気流通路に位置するが、上記のように網目形成部材５９の数を少なくしてあるから、前記空気流通路をできるだけ大きくすることができる。これにより、ケース１１の上流側の端部１１Ａの開口面積（網状の開口２０の面積）を増やすことができる。
【００３６】
［別実施形態］
（１）  前記網目５８はハニカム形以外の形状であってもよい。
【符号の説明】
【００３７】
３          空気吹き出し装置
１１        ケース
１１Ａ      上流側の端部（ケースの上流側の端部）
１１Ｂ      下流側の端部（ケースの下流側の端部）
１２        ハウジング
１３        フィン（第１フィン）
１５        フィン（第２フィン）
２０        開口（ケースの網状の開口）
２１        支持座
２１Ｈ      貫通孔
２４        係合爪
２７        分割爪
２８        爪基部
２９        爪部
３２Ｈ      係合孔
５８        網目
５９        網目形成部材
Ｊ          上流側
Ｋ          下流側
【図１】
2014046896.tif 000003
【図２】
2014046896.tif 000004
【図３】
2014046896.tif 000005
【図４】
2014046896.tif 000006